(57)【要約】【課題】使用薬剤の承認に係る承認欄の印字を効率的に行うことが可能な薬剤登録装置及びプログラムを提供する。【解決手段】情報の入力を受け付ける入力手段と、前記入力手段を介して入力された薬剤識別情報により薬剤を識別する薬剤識別手段と、各薬剤の承認権限を有する職種を定めた第１設定情報に基づき、前記薬剤識別手段が識別した前記薬剤の承認権限を有する職種を印字対象に設定する設定手段と、前記設定手段が前記印字対象に設定した職種用の承認欄を印字した伝票を印字部から出力させる印字制御手段と、を備える。【選択図】図１６
2015153017.tif 000002
【特許請求の範囲】
【請求項１】
情報の入力を受け付ける入力手段と、
前記入力手段を介して入力された薬剤識別情報により薬剤を識別する薬剤識別手段と、
各薬剤の承認権限を有する職種を定めた第１設定情報に基づき、前記薬剤識別手段が識別した前記薬剤の承認権限を有する職種を印字対象に設定する設定手段と、
前記設定手段が前記印字対象に設定した職種用の承認欄を印字した伝票を印字部から出力させる印字制御手段と、
を備える薬剤登録装置。
【請求項２】
前記入力手段を介して入力された操作者識別情報により自装置の操作者を識別する操作者識別手段を更に備え、
前記設定手段は、各操作者の職種を定めた第２設定情報に基づき、前記操作者識別手段が識別した前記操作者の職種を印字対象に設定する請求項１に記載の薬剤登録装置。
【請求項３】
前記設定手段は、前記操作者の承認欄を印字するか否かを定めた第３設定情報の設定内容に応じて、前記操作者識別手段が識別した前記操作者の職種を印字対象に設定する請求項２に記載の薬剤登録装置。
【請求項４】
前記設定手段は、予め定められた特定の職種を印字対象に設定する請求項１〜３の何れか一項に記載の薬剤登録装置。
【請求項５】
前記印字制御手段は、前記印字対象の職種を表す職種名を前記承認欄に対応付けて印字する請求項１〜４の何れか一項に記載の薬剤登録装置。
【請求項６】
薬剤登録装置のコンピュータを、
情報の入力を受け付ける入力手段と、
前記入力手段を介して入力された薬剤識別情報により薬剤を識別する薬剤識別手段と、
各薬剤の承認権限を有する職種を定めた第１設定情報に基づき、前記薬剤識別手段が識別した前記薬剤の承認権限を有する職種を印字対象に設定する設定手段と、
前記設定手段が前記印字対象に設定した職種用の承認欄を印字した伝票を印字部から出力させる印字制御手段と、
して機能させるためのプログラム。
【発明の詳細な説明】
【技術分野】
【０００１】
本発明の実施形態は、薬剤登録装置及びプログラムに関する。
【背景技術】
【０００２】
従来、薬剤監査においては、薬剤の取り違い等の過誤の発生を防止するために幾つかのシステムが提案されている。例えば、投薬しようとしている薬剤の容器に付されたバーコードで特定される薬剤情報と、投薬すべき薬剤の情報とを照合し、薬剤の誤使用を防止している。また、使用した薬剤の登録においても、薬剤に付されたバーコードを用いて、その薬剤名等を登録（記録）する装置が提案されている。
【０００３】
ところで、使用薬剤の登録時には、その登録内容を用紙に印字し、医師等から承認を得るという運用が一般的に行われている。その際、登録した薬剤の種類によっては、医師以外の者（例えば麻酔医師等）にも承認を求める必要がある。このような場合、承認サインを余白に書く方法や、最初から考え得る人数分の承認欄を用意し、必要に応じてその承認欄に承認サインを記入させる方法等が採用されている。
【０００４】
しかしながら、上記の方法では、承認サインの記入を医師等の判断に委ねることになるため、必要な承認を見逃してしまう可能性がある。また、必要のない承認欄を印字することになるため、非効率的であるという問題がある。なお、従来、承認を行う承認者毎に承認欄を設けたレシートを発行する装置が提案されているが、承認者は固定的であるため、必要のない承認者の承認欄を印字してしまう可能性がある。
【発明の概要】
【発明が解決しようとする課題】
【０００５】
本発明が解決しようとする課題は、使用薬剤の承認に係る承認欄の印字を効率的に行うことが可能な薬剤登録装置及びプログラムを提供することである。
【課題を解決するための手段】
【０００６】
実施形態の薬剤登録装置は、入力手段と、薬剤識別手段と、設定手段と、印字制御手段とを備える。入力手段は、情報の入力を受け付ける。薬剤識別手段は、前記入力手段を介して入力された薬剤識別情報により薬剤を識別する。設定手段は、各薬剤の承認権限を有する職種を定めた第１設定情報に基づき、前記薬剤識別手段が識別した前記薬剤の承認権限を有する職種を印字対象に設定する。印字制御手段は、前記設定手段が前記印字対象に設定した職種用の承認欄を印字した伝票を印字部から出力させる。
【図面の簡単な説明】
【０００７】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、作業者マスタテーブルのデータフォーマットの一例を示す図である。
【図５】図５は、薬剤マスタテーブルのデータフォーマットの一例を示す図である。
【図６】図６は、薬剤区分テーブルのデータフォーマットの一例を示す図である。
【図７】図７は、薬剤登録装置の機能構成を示すブロック図である。
【図８】図８は、使用品伝票の一例を示す図である。
【図９】図９は、薬剤登録装置のＭＰＵが制御プログラムに従って実行する使用薬剤登録処理の流れを示すフローチャートである。
【図１０】図１０は、ログイン画面の一例を示す説明図である。
【図１１】図１１は、患者登録画面の一例を示す説明図である。
【図１２】図１２は、薬剤登録開始画面の一例を示す説明図である。
【図１３】図１３は、手入力画面の一例を示す説明図である。
【図１４】図１４は、薬剤選択画面の一例を示す説明図である。
【図１５】図１５は、薬剤登録画面の一例を示す説明図である。
【図１６】図１６は、印字処理の流れを示すフローチャートである。
【図１７】図１７は、第５領域（承認欄）の一例を示す図である。
【発明を実施するための形態】
【０００８】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【０００９】
電子カルテサーバ１１は、各患者の電子カルテを管理するための装置である。具体的に、電子カルテサーバ１１は、各患者を識別するための患者ＩＤと対応付けて電子カルテを記憶し、管理する。
【００１０】
医師用の情報処理端末装置１２は、電子カルテの記入等を行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援及び監査を行うための装置である。薬剤部サーバ１９は、薬剤部に配置され薬剤払出等を管理するための装置である。また、薬剤部サーバ１９は、各薬剤を識別する薬剤コードに対応付けて薬剤に係る薬剤情報（名称、量等）を登録している。
【００１１】
薬剤登録装置２０は、手術室等に配置され、施術中に使用された薬剤、あるいは救急の場等において看護師や薬剤師等によって緊急的に使用された薬剤の登録支援を行うための装置である。本実施形態においては、薬剤登録装置２０は、手術室に配置されるものであって、手術中に使用された薬剤の登録支援に用いられることを想定する。
【００１２】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１３】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１４】
装置本体部２４は、オペレータとなる看護師が各種操作を行うとともに、使用された薬剤のリスト等の各種情報を表示可能なタッチパネルディスプレイ２１を備えている。
【００１５】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）等の光源とを有している。スキャナ２２は、看護師ＩＤ（IDentification）のコードシンボル、患者ＩＤのコードシンボル、薬剤のコードシンボル、薬剤の画像等の撮像を行う。スキャナ２２が所定のフレームレートで順次撮像したフレーム画像（撮像画像）は、後述するＲＡＭ（Random  Access  Memory）３３（図３参照）に保存される。
【００１６】
なお、スキャナ２２は、図２に示すようなテーブル上に載置する形状に限るものではなく、床上に立設させるスタンド形状であってもよい。また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１７】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１８】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、音による報知等に使用される。
【００１９】
なお、タッチパネルディスプレイ２１は、表示部であるディスプレイ３５及びタッチパネル３６を主体に構成されている。
【００２０】
記憶部である外部記憶装置３４は、作業者テーブル３４１と、薬剤マスタテーブル３４２と、薬剤区分テーブル３４３と、使用薬剤記憶テーブル３４４と、操作者承認欄設定情報３４５とを記憶する。
【００２１】
作業者テーブル３４１は、薬剤登録装置２０の操作者に関する情報を記憶する。図４は、作業者テーブル３４１のデータフォーマットの一例を示す図である。作業者テーブル３４１は、従業員コード、氏名、職種及び承認可能薬剤区分等を操作者毎に関連付けて記憶する。ここで、従業員コードは、操作者となる従業員を識別するための識別情報である。氏名は、従業員の名前である。職種は、従業員の職種や役職等を示す情報である。例えば、職種は、医師や看護師、麻酔医師等を示す情報である。承認可能薬剤区分は、承認することが可能な薬剤の区分を示す情報が格納される。例えば、職種が「麻酔科」の従業員（麻酔医師）には、承認可能薬剤区分として麻酔薬の区分が格納される。
【００２２】
薬剤マスタテーブル３４２は、薬剤に関する情報（薬剤情報）を記憶する。図５は、薬剤マスタテーブル３４２のデータフォーマットの一例を示す図である。薬剤マスタテーブル３４２は、薬剤コード及び表示用名称等を薬剤毎に関連付けて記憶する。ここで、薬剤コードは、薬剤を識別するための識別情報である。例えば、薬剤コードは、薬剤に付されたＪＡＮコード等のコード情報に保持される番号である。または、例えば、薬剤コードは、薬剤の外観やパッケージ等を表す外面情報等であってもよい。表示用名称は、薬剤登録装置２０に表示する際の名称を示す情報である。例えば、表示用名称は、薬剤の製品名（商品名）や一般名を示す情報である。
【００２３】
薬剤区分テーブル３４３は、薬剤の区分に関する情報を記憶する。図６は、薬剤区分テーブル３４３のデータフォーマットの一例を示す図である。薬剤区分テーブル３４３は、薬剤コードと区分とを関連付けて記憶する。ここで、区分は、薬剤の区分を示す情報であって、作業者テーブル３４１の承認可能薬剤区分に対応する。例えば、区分には、注射薬や外用薬、麻酔薬等を示す情報が格納される。なお、各薬剤の区分する単位は、各操作者が承認可能な薬剤に基づくことが好ましい。
【００２４】
使用薬剤記憶テーブル３４４は、使用された薬剤についての集計結果を記憶する。操作者承認欄設定情報３４５は、後述する使用品伝票の印字時において、操作者用の承認欄を印字するか否かを指示するための設定情報である。
【００２５】
このような構成により、薬剤登録装置２０のＭＰＵ３１は、ＲＯＭ３２や外部記憶装置３４に記憶された制御プログラムに従って動作することで、使用された薬剤の登録支援を行う。
【００２６】
次に、薬剤登録装置２０が有する特徴的な機能について説明する。図７は、薬剤登録装置２０の機能構成を示すブロック図である。ＭＰＵ３１は、ＲＯＭ３２や外部記憶装置３４に記憶された制御プログラムに従って動作することで、図７に示すように、入力手段３１１と、通信手段３１２と、読取手段３１３と、操作者識別手段３１４と、薬剤識別手段３１５と、登録手段３１６と、表示制御手段３１７と、印字制御手段３１８として機能する。
【００２７】
入力手段３１１は、読取手段３１３が読み取った情報の入力や、各種操作の入力を制御する。入力手段３１１は、例えば、タッチパネルディスプレイ２１に表示された内容を基に、操作者がタッチパネル３６に入力した各種操作を受け付ける。
【００２８】
通信手段３１２は、通信ネットワーク１７を介して接続された外部装置との通信を制御する。通信手段３１２は、例えば、入力手段３１１を介して登録された患者ＩＤの電子カルテ情報を、電子カルテサーバ１１から取得する。
【００２９】
読取手段３１３は、スキャナ２２がスキャンした撮像画像から、従業員コードや薬剤コード等の識別情報を読み取る。具体的に、読取手段３１３は、各従業員に予め配布されたＩＤカードから、当該ＩＤカードに付されたコードシンボルのコード情報（従業員コード）を読み取る。また、読取手段３１３は、使用される薬剤に付されたコードシンボルのコード情報（薬剤コード）を読み取る。バーコードや二次元コード等のコードシンボルからコード情報を検出する処理については、従来からある技術なのでここでの説明は省略する。なお、コード情報は、コードシンボルに記載されたコード番号を手入力で入力してもよい。
【００３０】
操作者識別手段３１４は、作業者テーブル３４１に基づき、読取手段３１３による読み取り結果として得られた従業員コードに対応する従業員を、薬剤登録装置２０の操作者として識別する。具体的に、操作者識別手段３１４は、作業者テーブル３４１に登録された各従業員の従業員コードと、読取手段３１３で読み取られた従業員コードとを比較することで認証を行う。そして、操作者識別手段３１４は、認証した従業員を、薬剤登録装置２０の操作者と識別する。
【００３１】
薬剤識別手段３１５は、薬剤マスタテーブル３４２に基づき、読取手段３１３による読み取り結果として得られた薬剤コードに対応する薬剤を識別する。具体的に、薬剤識別手段３１５は、読取手段３１３で読み取られた薬剤コードに対応するレコード（薬剤情報）を薬剤マスタテーブル３４２から特定することで、使用された薬剤を識別する。また、薬剤識別手段３１５は、手入力で入力された薬剤コードに対応するレコード（薬剤情報）を薬剤マスタテーブル３４２から特定することで、使用された薬剤を識別する。
【００３２】
登録手段３１６は、薬剤識別手段３１５が識別した薬剤を、外部記憶装置３４の使用薬剤記憶テーブル３４４に登録する。
【００３３】
表示制御手段３１７は、表示部であるディスプレイ３５に、薬剤識別手段３１５が識別した薬剤情報の表示を制御する。
【００３４】
印字制御手段３１８は、印字部であるプリンタ２３を制御することで、使用した薬剤を記録した使用者伝票等を印字させる。
【００３５】
ここで、図８は、使用品伝票の一例を示す図である。図８に示すように、使用品伝票Ｄは、印字領域として、第１領域Ｄ１〜第５領域Ｄ５を有する。第１領域Ｄ１は、伝票名称を印字する領域である。第２領域Ｄ２は、出力日時、対象期間、発行場所、作業者（操作者）及び患者数等を印字する領域である。
【００３６】
第３領域Ｄ３は、使用薬剤に関するデータが印字される領域である。第３領域Ｄ３には、例えば、Ｎｏ列と、薬剤名列と、単位列と、本数列と、定数列と、が印字される。Ｎｏ列は、項目Ｎｏが印字される。項目Ｎｏは、薬剤種別ごとに付与される一連の番号である。薬剤名列は、薬剤名と、薬剤のコード番号とを印字している。薬剤名は、薬剤の名称である。薬剤のコード番号は、薬剤のコードシンボルに付されている番号である。単位列は、対象の薬剤の使用量の基準を示している。本数列は、対象の薬剤が使用された量を示している。定数列は、対象の薬剤が常備される量を示している。これにより、薬剤部は、薬剤の補充等を行う。
【００３７】
第４領域Ｄ４は、廃棄された薬剤が印字される領域である。第５領域Ｄ５は、承認印や承認サインを記入するための承認欄Ｄ５１が印字される領域である。係る承認欄Ｄ５１は、承認を行う従業員の職種毎に設けられ、その職種名が承認欄Ｄ５１に対応付けて印字される。これにより、承認者は自らの職種が付された承認欄Ｄ５１を確認することで、承認印や承認サインを記入したか否かを容易に把握できるため、承認の見逃し等の発生を防止することができる。
【００３８】
ここで、印字制御手段３１８は、承認欄Ｄ５１の印字対象となる職種を設定する設定手段としても機能する。印字制御手段３１８は、承認欄Ｄ５１の印字に関し、以下に説明する第１及び第２の印字制御を行う。
【００３９】
第１の印字制御として、印字制御手段３１８は、使用薬剤記憶テーブル３４４に登録された薬剤について、当該薬剤の承認権限を有する職種用の承認欄Ｄ５１を第５領域Ｄ５に印字させる。
【００４０】
具体的に、印字制御手段３１８は、薬剤区分テーブル３４３を参照し、使用薬剤記憶テーブル３４４に登録された薬剤の区分を特定する。続いて、印字制御手段３１８は、作業者テーブル３４１を参照し、特定した区分を承認可能薬剤区分とする従業員の職種を印字対象に設定する。そして、印字制御手段３１８は、印字対象に設定した職種用の承認欄Ｄ５１を、第５領域Ｄ５に印字させる。例えば、薬剤識別手段３１５が識別した薬剤の区分が「麻酔薬」であった場合、印字制御手段３１８は、麻酔薬の承認権限を有する麻酔医師用の承認欄Ｄ５１を第５領域Ｄ５に印字させる。
【００４１】
また、第２の印字制御として、印字制御手段３１８は、操作者承認欄設定情報３４５の設定内容に応じて、操作者用の第５領域Ｄ５を印字させる。なお、本実施形態では、医師及び看護師用の承認欄は、デフォルトで印字されるよう設定されているものとする。
【００４２】
例えば、操作者承認欄設定情報３４５に操作者の承認欄を印字することが設定されており、且つ操作者の職種が医師及び看護師以外の場合、印字制御手段３１８は、デフォルト設定の医師及び看護師とともに、その操作者の職種を印字対象に設定する。そして、印字制御手段３１８は、印字対象に設定した職種用の承認欄Ｄ５１を、第５領域Ｄ５に印字させる。
【００４３】
また、操作者承認欄設定情報３４５に操作者の承認欄を印字することが設定されており、且つ操作者の職種が医師又は看護師の場合、印字制御手段３１８は、デフォルト設定の医師及び看護師を印字対象に設定する。そして、印字制御手段３１８は、印字対象に設定した職種用の承認欄Ｄ５１を、第５領域Ｄ５に印字させる。
【００４４】
また、操作者承認欄設定情報３４５に操作者の承認欄を印字しないことが設定されており、且つ操作者の職種が医師及び看護師以外の場合、印字制御手段３１８は、デフォルト設定の医師及び看護師を印字対象に設定する。そして、印字制御手段３１８は、印字対象に設定した職種用の承認欄Ｄ５１を、第５領域Ｄ５に印字させる。
【００４５】
また、操作者承認欄設定情報３４５に操作者の承認欄を印字しないことが設定されており、且つ操作者の職種が医師又は看護師の場合、印字制御手段３１８は、医師及び看護師のうち、非操作者の職種を印字対象に設定する。そして、印字制御手段３１８は、印字対象に設定した職種用の承認欄Ｄ５１を、第５領域Ｄ５に印字させる。また、他の例としては、操作者が医師の場合には、デフォルト設定を優先して医師用の承認欄Ｄ５１を印字させる構成としてもよい。
【００４６】
なお、第１の印字制御と第２の印字制御との両方で、同一職種の承認欄Ｄ５１が印字対象に設定された場合、印字制御手段３１８は、その承認欄Ｄ５１が重複して印字されないよう制御するものとする。また、第１の印字制御と第２の印字制御とで、同一の職種について一方が印字対象、他方が非印字対象となる可能性がある。この場合、印字制御手段３１８は、第１の印字制御及び第２の印字制御について予め定められた優先度に従い、何れか一方の判定結果を採用するものとする。
【００４７】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像等をスキャンし、薬剤登録処理を実行する。
【００４８】
図９は、薬剤登録装置２０のＭＰＵ３１が制御プログラムに従って実行する使用薬剤登録処理の流れを示すフローチャートである。図１０に示すように、薬剤登録装置２０のＭＰＵ３１は、初期状態として、ディスプレイ３５にログイン画面を表示する（ステップＳ１）。薬剤登録装置２０の操作が許可されている操作者は、ＩＤカードを有し、ＩＤカードの認証により薬剤登録装置２０の操作が可能になるものとする。
【００４９】
図１０は、ログイン画面Ｇ１の一例を示す説明図である。ログイン画面Ｇ１には、図１０に示すように、「ＩＤカードを読み取らせてください。」というガイドコメントが表示される。また、ログイン画面Ｇ１は、ＩＤカードに付されている従業員コードのコードシンボルをスキャナ２２に読み込ませることを促すガイド画像を表示する。
【００５０】
したがって、操作者は、ログイン処理を行うために、自己のＩＤカードに付されたコードシンボルをスキャナ２２の前にかざして、従業員コードを読み込ませる。
【００５１】
薬剤登録装置２０のＭＰＵ３１は、ログイン処理により従業員コードを認証すると（ステップＳ２；Ｙｅｓ）、ディスプレイ３５の表示画面に患者登録画面を表示する（ステップＳ３）。なお、薬剤登録装置２０のＭＰＵ３１は、従業員コードが認証できない場合に（ステップＳ２；Ｎｏ）、ステップＳ１に戻り、ログイン画面Ｇ１を再度表示する。
【００５２】
図１１は、患者登録画面Ｇ２の一例を示す説明図である。患者登録画面Ｇ２には、図１１に示すように、「患者ＩＤ番号を読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００５３】
したがって、操作者は、患者登録処理を行うために、患者のリストバンドに付されている患者ＩＤのコードシンボルをスキャナ２２の前にかざして、患者ＩＤを読み込ませる。
【００５４】
薬剤登録装置２０のＭＰＵ３１は、患者登録処理により患者ＩＤを登録すると（ステップＳ４；Ｙｅｓ）、電子カルテサーバ１１から患者ＩＤの電子カルテ情報を取得する（ステップＳ５）。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００５５】
次いで、薬剤登録装置２０のＭＰＵ３１は、ディスプレイ３５の表示画面に薬剤登録開始画面Ｇ３を表示させる（ステップＳ６）。ここで、図１２は、薬剤登録開始画面Ｇ３の一例を示す説明図である。薬剤登録開始画面Ｇ３は、図１２に示すように、薬剤のコードシンボルの読み取らせ方が表示される。また、薬剤登録開始画面Ｇ３は、中止ボタンＢ１と、手入力ボタンＢ２とを備えている。中止ボタンＢ１は、薬剤登録を中止するボタンである。手入力ボタンＢ２は、薬剤のコードシンボルに付されているコード番号を手入力で登録する場合に押下するボタンである。
【００５６】
中止ボタンＢ１が押下された場合に（ステップＳ７；Ｙｅｓ）、薬剤登録装置２０のＭＰＵ３１は、薬剤登録中止画面（図示せず）を表示して（ステップＳ８）、薬剤登録を終了する。一方、中止ボタンＢ１が押下されない場合に（ステップＳ７；Ｎｏ）、薬剤登録装置２０のＭＰＵ３１は、手入力ボタンＢ２が押下されるか否か判定する（ステップＳ９）。手入力ボタンＢ２が押下されず（ステップＳ９；Ｎｏ）、スキャナ２２の前に薬剤がかざされた場合に、薬剤登録装置２０のＭＰＵ３１は、コードシンボルを読み取る（ステップＳ１０）。
【００５７】
一方、手入力ボタンＢ２が押下された場合に（ステップＳ９；Ｙｅｓ）、薬剤登録装置２０のＭＰＵ３１は、手入力画面Ｇ４を表示させる（ステップＳ１１）。ここで、図１３は、手入力画面Ｇ４の一例を示す説明図である。手入力画面Ｇ４は、薬剤に付されているコード番号を手入力にて入力する画面である。手入力画面Ｇ４は、「薬剤コードを入力して下さい。」とのガイドメッセージを表示することによりコード番号の入力を求める。また、手入力画面Ｇ４は、数字入力ボタンＢ３と、検索ボタンＢ４と、キャンセルボタンＢ５と、確定ボタンＢ６と、コード番号表示領域Ｒ１と、ガイド表示領域Ｒ２と、を備える。
【００５８】
数字入力ボタンＢ３は、コード番号を入力するボタンである。そして、数字入力ボタンＢ３は、０から９までの数字を入力するボタンと、１文字削除する１文字削除ボタンとを有する。検索ボタンＢ４は、数字入力ボタンＢ３で入力したコード番号と適合するコード番号を検索するボタンである。キャンセルボタンＢ５は、手入力でのコード番号の入力をキャンセルするボタンである。確定ボタンＢ６は、所望の薬剤を選択した場合に薬剤を確定するボタンである。なお、手入力画面Ｇ４において、確定ボタンＢ６は、選択不可能な状態になっている。コード番号表示領域Ｒ１は、数字入力ボタンＢ３にて入力された数値を表示する領域である。ガイド表示領域Ｒ２は、「薬剤についているバーコードの番号を入力して下さい」とのガイドメッセージを表示してオペレータにコード番号の入力を求める画面である。
【００５９】
薬剤登録装置２０のＭＰＵ３１は、キャンセルボタンＢ５が押下されるか否かを判定する（ステップＳ１２）。キャンセルボタンＢ５が押下されない場合に（ステップＳ１２；Ｎｏ）、薬剤登録装置２０のＭＰＵ３１は、ステップＳ１３に移行する。一方、キャンセルボタンＢ５が押下された場合に（ステップＳ１２；Ｙｅｓ）、薬剤登録装置２０のＭＰＵ３１は、手入力画面Ｇ４を消去してステップＳ７に戻る。
【００６０】
次いで、薬剤登録装置２０のＭＰＵ３１は、検索ボタンＢ４が押下されるか否かを判定する（ステップＳ１３）。検索ボタンＢ４が押下されない場合に（ステップＳ１３；Ｎｏ）、薬剤登録装置２０のＭＰＵ３１は、ステップＳ１４に移行する。検索ボタンＢ４が押下された場合に（ステップＳ１３；Ｙｅｓ）、薬剤登録装置２０のＭＰＵ３１は、入力されたコード番号を用いて薬剤マスタテーブル３４２を検索する（ステップＳ１５）。続いて、薬剤登録装置２０のＭＰＵ３１は、検索結果を用いて薬剤選択画面Ｇ５を表示させる（ステップＳ１６）。
【００６１】
ここで、図１４は、薬剤選択画面Ｇ５の一例を示す説明図である。薬剤選択画面Ｇ５は、図１４に示すように、コード番号表示領域Ｒ１に入力されたコード番号で検索し、適合した薬剤候補から該当する薬剤の選択を求める画面である。薬剤選択画面Ｇ５は、「薬剤候補から該当薬剤を選択して［確定］して下さい」とのガイドメッセージを表示することにより、薬剤候補から該当する薬剤の選択を求める。薬剤選択画面Ｇ５は、数字入力ボタンＢ３と、検索ボタンＢ４と、キャンセルボタンＢ５と、確定ボタンＢ６と、コード番号表示領域Ｒ１と、薬剤候補領域Ｒ６と、を備える。
【００６２】
ここで、手入力画面Ｇ４と共通する部分については、説明を省略する。確定ボタンＢ６は、薬剤を選択すると押下することが可能となる。薬剤候補領域Ｒ６は、薬剤候補と、検索結果とが表示される。薬剤候補は、コード番号表示領域Ｒ１に入力したコード番号と一部が一致した薬剤名称が表示される。検索結果は、検索条件に適合した薬剤の個数を表示する。図１４は、３つの薬剤（ＡＡＡＡ注射液、ＢＢＢＢ注射液、ＣＣＣＣ注射液）が、検索条件に適合した例を示している。
【００６３】
続いて、薬剤登録装置２０のＭＰＵ３１は、確定ボタンＢ６が押下されるか否かを判定する（ステップＳ１４）。確定ボタンＢ６が押下されない場合に（ステップＳ１４；Ｎｏ）、薬剤登録装置２０のＭＰＵ３１は、ステップＳ１２に戻り、再度処理を行う。確定ボタンＢ６が押下された場合に（ステップＳ１４；Ｙｅｓ）、薬剤登録装置２０のＭＰＵ３１は、ステップＳ１７に移行する。
【００６４】
続くステップＳ１７において、薬剤登録装置２０のＭＰＵ３１は、コードシンボルの読み取り又は手入力された薬剤コードに該当する薬剤を使用薬剤記憶テーブル３４４に登録する（ステップＳ１７）。
【００６５】
次に、薬剤登録装置２０のＭＰＵ３１は、使用薬剤記憶テーブル３４４に登録された薬剤に基づき、薬剤登録画面Ｇ６を表示させる（ステップＳ１８）。ここで、図１５は、薬剤登録画面Ｇ６の一例を示す説明図である。薬剤登録画面Ｇ６は、図１５に示すように、使用薬剤記憶テーブル３４４に登録された薬剤の一覧を表示する画面である。薬剤登録画面Ｇ６は、薬剤一覧表示領域Ｒ１１と、中止ボタンＢ１と、手入力ボタンＢ２と、印刷ボタンＢ９とを備えている。
【００６６】
薬剤一覧表示領域Ｒ１１は、薬剤名と、数量と、合計点数とを表示する領域である。薬剤名は、使用薬剤記憶テーブル３４４に登録された薬剤の名称である。数量は、該当する薬剤の数量である。合計点数は、使用薬剤記憶テーブル３４４に登録された薬剤の数量の合計である。中止ボタンＢ１及び手入力ボタンＢ２は、薬剤登録開始画面Ｇ３における中止ボタンＢ１及び手入力ボタンＢ２と同じ機能を有したボタンである。印刷ボタンＢ９は、使用薬剤記憶テーブル３４４に登録された薬剤の一覧を使用品伝票Ｄとして印字（印刷）するボタンである。
【００６７】
次いで、薬剤登録装置２０のＭＰＵ３１は、印刷ボタンＢ９が押下されるか否かを判定する（ステップＳ１９）。印刷ボタンＢ９が押下されない場合に（ステップＳ１９；Ｎｏ）、薬剤登録装置２０のＭＰＵ３１は、薬剤登録処理を継続するとしてステップＳ７に戻る。印刷ボタンＢ９が押下された場合に（ステップＳ１９；Ｙｅｓ）、薬剤登録装置２０のＭＰＵ３１は、使用品伝票Ｄを印字する印字処理を実行し（ステップＳ２０）、本処理を終了する。
【００６８】
ここで、図１６は、ステップＳ２０の印字処理の流れを示すフローチャートである。まず、薬剤登録装置２０のＭＰＵ３１は、使用薬剤記憶テーブル３４４に登録された各薬剤の区分を承認可能薬剤とする作業者の職種を特定する（ステップＳ３１）。続いて、薬剤登録装置２０のＭＰＵ３１は、ステップＳ３１で特定した職種を印字対象に設定する（ステップＳ３２）。
【００６９】
また、薬剤登録装置２０のＭＰＵ３１は、操作者承認欄設定情報３４５を参照し、操作者用の承認欄Ｄ５１を印字することが設定されているか否かを判定する（ステップＳ３３）。ここで、操作者用の承認欄Ｄ５１を印字することが設定されていると判定した場合（ステップＳ３３；Ｙｅｓ）、薬剤登録装置２０のＭＰＵ３１は、操作者の職種が医師又は看護師かを判定する（ステップＳ３４）。より詳細には、薬剤登録装置２０のＭＰＵ３１は、ステップＳ２で認証された操作者の職種を作業者テーブル３４１から読み出し、その職種が医師又は看護師かを判定する。
【００７０】
ステップＳ３４において、操作者の職種が医師又は看護師と判定した場合（ステップＳ３４；Ｙｅｓ）、薬剤登録装置２０のＭＰＵ３１は、医師及び看護師を印刷対象に設定し（ステップＳ３５）、ステップＳ４０に移行する。また、ステップＳ３４において、操作者の職種が医師及び看護師の何れでもないと判定した場合（ステップＳ３４；Ｎｏ）、薬剤登録装置２０のＭＰＵ３１は、その操作者の職種と、医師及び看護師とを印刷対象に設定し（ステップＳ３６）、ステップＳ４０に移行する。
【００７１】
一方、ステップＳ３３において、操作者用の承認欄Ｄ５１を印字することが設定されていないと判定した場合（ステップＳ３３；Ｎｏ）、薬剤登録装置２０のＭＰＵ３１は、操作者の職種が医師又は看護師かを判定する（ステップＳ３７）。
【００７２】
ステップＳ３７において、操作者の職種が医師又は看護師と判定した場合（ステップＳ３７；Ｙｅｓ）、薬剤登録装置２０のＭＰＵ３１は、医師及び看護師のうち、非操作者の職種を印刷対象に設定し（ステップＳ３８）、ステップＳ４０に移行する。また、ステップＳ３７において、操作者の職種が医師及び看護師の何れでもないと判定した場合（ステップＳ３７；Ｎｏ）、薬剤登録装置２０のＭＰＵ３１は、医師及び看護師を印刷対象に設定し（ステップＳ３９）、ステップＳ４０に移行する。
【００７３】
続いて、薬剤登録装置２０のＭＰＵ３１は、プリンタ２３を制御することで、印刷対象に設定した職種用の承認欄Ｄ５１を含む使用品伝票Ｄを印字させ（ステップＳ４０）、本処理を終了する。
【００７４】
例えば、印字対象の職種として、医師及び看護師が設定された場合、図８に示したように、医師及び看護師用の承認欄Ｄ５１が第５領域Ｄ５に印字される。また、印字対象の職種として、麻酔医師、医師、看護師及び事務が設定された場合、図１７に示すように、各職種用の第５領域Ｄ５がそれぞれ印字される。ここで、図１７は、第５領域Ｄ５の一例を示す図である。同図に示すように、麻酔医師、医師、看護師及び事務用の承認欄Ｄ５１が第５領域Ｄ５に印字される。
【００７５】
以上のように、本実施形態の薬剤登録装置２０によれば、使用薬剤記憶テーブル３４４に登録された薬剤について、その承認権限を有する職種用の承認欄Ｄ５１を印字した使用品伝票Ｄを出力する。これにより、必要のない承認欄を印字してしまうことを防ぐことができるため、使用薬剤の承認に係る承認欄の印字を効率的に行うことができる。
【００７６】
また、本実施形態の薬剤登録装置２０によれば、操作者承認欄設定情報３４５の設定内容に応じて、操作者用の第５領域Ｄ５を印字する。これにより、操作者用の承認欄を不用意に印字してしまうことを防ぐことができるため、使用薬剤の承認に係る承認欄の印字を効率的に行うことができる。
【００７７】
以上、本実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００７８】
例えば、上記実施形態では、薬剤に付されたコードシンボル（薬剤コード）に基づいて当該薬剤を識別したが、薬剤の識別方法はこれに限らないものとする。他の例としては、薬剤の外面情報（薬剤のラベルを表す特徴量、薬剤の色合いや表面の凸凹状況等の表面の状態を表す特徴量等）を読み取ることで薬剤を識別する形態としてもよい。具体的には、読取手段３１３は、薬剤の全部または一部の外面情報を読み取る。そして、薬剤識別手段３１５は、読取手段３１３による読み取り結果として得られた外面情報に基づいて薬剤を識別して薬剤情報を抽出する。なお、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００７９】
また、上記実施形態では、薬剤に付されたバーコードや二次元コードなどのコードシンボルからコード情報を読み取る形態を説明しているが、コード情報は、コードシンボル以外であってもよい。例えば、コード情報は、ＲＦＩＤなどからコード情報を読み取るとしてもよい。この場合には、ＲＦＩＤリーダライタ等を新たに備えればよい。
【００８０】
また、上記実施形態では、作業者テーブル３４１、薬剤マスタテーブル３４２、薬剤区分テーブル３４３、使用薬剤記憶テーブル３４４及び操作者承認欄設定情報３４５を、外部記憶装置３４に記憶する形態を説明したが、これに限らないものとする。他の例としては、作業者テーブル３４１、薬剤マスタテーブル３４２、薬剤区分テーブル３４３、使用薬剤記憶テーブル３４４及び操作者承認欄設定情報３４５の全て又は一部を、電子カルテサーバ１１や薬剤部サーバ１９等の外部装置に記憶してもよい。この形態を採用する場合には、薬剤登録装置２０は、通信ネットワーク１７を介して外部装置にから情報を取得するものとする。
【００８１】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００８２】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００８３】
２０  薬剤登録装置
３１  ＭＰＵ
３１１  入力手段
３１２  通信手段
３１３  読取手段
３１４  操作者識別手段
３１５  薬剤識別手段
３１６  登録手段
３１７  表示制御手段
３１８  印字制御手段
【先行技術文献】
【特許文献】
【００８４】
【特許文献１】特開２０１３−３７４２５号公報
【図１】
2015153017.tif 000003
【図２】
2015153017.tif 000004
【図３】
2015153017.tif 000005
【図４】
2015153017.tif 000006
【図５】
2015153017.tif 000007
【図６】
2015153017.tif 000008
【図７】
2015153017.tif 000009
【図８】
2015153017.tif 000010
【図９】
2015153017.tif 000011
【図１０】
2015153017.tif 000012
【図１１】
2015153017.tif 000013
【図１２】
2015153017.tif 000014
【図１３】
2015153017.tif 000015
【図１４】
2015153017.tif 000016
【図１５】
2015153017.tif 000017
【図１６】
2015153017.tif 000018
【図１７】
2015153017.tif 000019